(57)【要約】【課題】配光にむらを生ずることがないLEDユニット及び照明器具を提供する。【解決手段】照明器具１０は、天井面に取り付けられる器具本体１１と、器具本体１１を天井面に固定するための取付ホルダ１５と、器具本体１１に保持されるランプ１２と、ランプ１２へ給電する点灯回路部１４と、天井面側から点灯回路部１４に接続される電源配線１３と、を備え、取付ホルダ１５は、電源配線１３を器具本体１１との間に保持する配線保持部２１を設けた。【選択図】図１
2010251266.tif 000002
【特許請求の範囲】
【請求項１】
天井面に取り付けられる器具本体と、
前記器具本体を前記天井面に固定するための取付ホルダと、
前記器具本体に保持されるランプと、
前記ランプへ給電する点灯回路部と、
前記天井面側から前記点灯回路部に接続される電源配線と、
を備えた照明器具であって、
前記取付ホルダは、前記電源配線を前記器具本体との間に保持する配線保持部を設けていることを特徴とする照明器具。
【請求項２】
前記取付ホルダは、前記配線保持部の近傍位置を螺子により前記器具本体に固定されることを特徴とする請求項１に記載した照明器具。
【請求項３】
前記取付ホルダは、前記配線保持部に、配線引き込み口と配線引き出し口とを有することを特徴とする請求項１または２に記載した照明器具。
【請求項４】
前記取付ホルダは、前記配線保持部の前記配線引き込み口と前記配線引き出し口とに、前記電源配線を圧接可能な配線圧接部を有することを特徴とする請求項３に記載した照明器具。
【発明の詳細な説明】
【技術分野】
【０００１】
本発明は、例えば住宅等の天井面に直接取り付けられる直付型の照明器具に関する。
【背景技術】
【０００２】
従来の照明器具の一例として、引掛シーリングキャップに接続されている一方の電源配線を一方の安定器のプリント配線板に電気的に接続し、一方の安定器から引き出されている他方の電源配線を他方の安定器のプリント配線板に電気的に接続した照明器具がある（例えば、特許文献１参照）。
【先行技術文献】
【特許文献】
【０００３】
【特許文献１】特開２００６−３０２５３３号公報（図１、段落番号００１８）
【発明の概要】
【発明が解決しようとする課題】
【０００４】
ところが、上記特許文献１に開示された従来の照明器具では、電源配線を器具本体に沿って配置しているだけで何らの保持もされていない。
従って、万が一に、電源配線が垂直方向に引っ張られると電源配線が弛んでしまい、外観性が悪化する。
【０００５】
本発明は、前述した課題を解決するためになされたものであり、その目的は、外観性を向上させることができる照明器具を提供することにある。
【課題を解決するための手段】
【０００６】
本発明に係る照明器具は、天井面に取り付けられる器具本体と、前記器具本体を前記天井面に固定するための取付ホルダと、前記器具本体に保持されるランプと、前記ランプへ給電する点灯回路部と、前記天井面側から前記点灯回路部に接続される電源配線と、を備えた照明器具であって、前記取付ホルダは、前記電源配線を前記器具本体との間に保持する配線保持部を設けていることを特徴とする。
【０００７】
本発明においては、取付ホルダの配線保持部により、電源配線が器具本体と取付ホルダとの間に保持される。
これにより、万が一に、電源配線が垂直方向に引っ張られたとしても、取付ホルダは浮きを生ずることなく電源配線を確実に保持する。
従って、取付ホルダに浮きを生ずることがなくなって外観性を向上させることができる。
【０００８】
本発明に係る照明器具は、上記構成の照明器具において、前記取付ホルダは、前記配線保持部の近傍位置を螺子により前記器具本体に固定されることを特徴とする。
【０００９】
本発明においては、取付ホルダの配線保持部の近傍位置が螺子により器具本体に固定される。
これにより、万が一に、電源配線が垂直方向に引っ張られた際に配線保持部の近傍位置に引張応力が集中するが、配線保持部の近傍位置が螺子固定されているために強度が高くなっている。
従って、引張応力に十分に抗することにより浮きを生じないようにできる。
【００１０】
本発明に係る照明器具は、上記構成の照明器具において、前記取付ホルダは、前記配線保持部に、配線引き込み口と配線引き出し口とを有することを特徴とする。
【００１１】
本発明においては、電源配線は配線保持部の配線引き込み口から引き込まれて配線引き出し口から引き出される。
従って、電源配線にかかる外力を分散することができるとともに絡まり等を生ずることなく簡潔な配策を行うことができる。
【００１２】
本発明に係る照明器具は、上記構成の照明器具において、前記取付ホルダは、前記配線保持部の前記配線引き込み口と前記配線引き出し口とに、前記電源配線を圧接可能な配線圧接部を有することを特徴とする。
【００１３】
本発明においては、電源配線は配線保持部の配線引き込み口の配線圧接部により強固に把持されるとともに配線引き出し口の配線圧接部により強固に把持される。
従って、電源配線に軸方向の位置ずれを生ずることなく確実に保持することができる。
【発明の効果】
【００１４】
本発明の照明器具によれば、取付ホルダに、電源配線を器具本体との間に保持する配線保持部を設けた。
これにより、電源配線が垂直方向に引っ張られたとしても、取付ホルダは浮きを生ずることなく電源配線を確実に保持することにより、外観性を向上させることができるという効果を有する。
【図面の簡単な説明】
【００１５】
【図１】本発明に係る一実施形態の照明器具の斜め下方から視た外観斜視図
【図２】図１に示した照明器具に用いられる取付ホルダの単体外観図
【図３】図２に示した取付ホルダを裏面から視た外観図
【図４】図２に示した取付ホルダによる電源配線の組み付けを説明する外観図
【図５】図１に示した照明器具における取付ホルダの組み付け手順を説明する組み付け前の外観図
【図６】図５の取付ホルダの拡大図
【図７】図１に示した照明器具における取付ホルダの組み付け手順を説明する組み付け後の外観図
【発明を実施するための形態】
【００１６】
以下、本発明の一実施形態に係る照明器具について図面を参照して説明する。
【００１７】
図１に示すように、本発明の一実施形態である照明器具１０は、器具本体１１と、２重のランプ１２，１２と、電源配線１３と、点灯回路部１４と、取付ホルダ１５とを主として備える。
【００１８】
器具本体１１は、金属製で円板形状に形成されている。器具本体１１の中央部には不図示の天井面に設けられている省施工用部品に外装される取付穴１６が形成されている。器具本体１１にはランプ１２を覆うように不図示のグローブが装着される。
【００１９】
ランプ１２は蛍光灯であって、器具本体１１に取り付けられている不図示のランプ保持部品により器具本体１１に保持されている。
【００２０】
電源配線１３は、その一端部に、天井面の省施工用部品に電気的に接続される不図示のコネクタが接続されており、その他端部が、点灯回路部１４に電気的に接続される。
【００２１】
点灯回路部１４は、電源配線１３を通じて与えられた商用電源をランプ１２の点灯用に変換し、不図示の器具配線を通じてランプ１２にそれぞれに給電する。
【００２２】
取付ホルダ１５は、例えば硬質の樹脂材料を用いて板形状に形成されている。取付ホルダ１５には、平面状の本体部１７と、本体部１７の周囲に形成された周板１８と、嵌合穴１９と、螺子固定部２０と、配線保持部２１とを有する。
【００２３】
図２に示すように、取付ホルダ１５は、本体部１７が小判形状に形成されており、本体部１７の中央部に嵌合穴１９が配置されている。
【００２４】
嵌合穴１９は、器具本体１１の取付穴１６よりもわずかに小さい内径寸法に形成されている。嵌合穴１９は器具本体１１が省施工用部品に装着された際に省施工用部品に嵌合されることにより器具本体１１を天井面に固定する機能を有する。
【００２５】
螺子固定部２０は、嵌合穴１９を中心として対角位置に一対に配置されており、ネジ穴２２をそれぞれ有する。
【００２６】
図３に示すように、配線保持部２１は一方の螺子固定部２０に近接して配置されている。配線保持部２１は本体部１７の周囲の周板１８の内側に空間状に形成されている。
【００２７】
配線保持部２１は、周板１８における一方の螺子固定部２０に近接する一部を切除した配線引き出し口２３を有し、配線引き出し口２３からわずかに離れた周板１８の一部を切除した配線引き込み口２４を有する。
【００２８】
配線引き出し口２３と配線引き込み口２４とは電源配線１３の外径寸法よりもわずかに小さい内形に形成されており、それらの側部に、傾斜した配線圧接部２５をそれぞれ形成している。
【００２９】
図４に示すように、取付ホルダ１５は、その配線引き込み口２４から電源配線１３を引き込んで、その配線引き出し口２３から電源配線１３を引き出すことにより、電源配線１３を配線保持部２１に保持する。
【００３０】
このとき、配線引き込み口２４は、その配線圧接部２５が電源配線１３の外周に被覆されている樹脂製のシース２６に食い込んで圧接する。
【００３１】
同時に、配線引き出し口２３は、その配線圧接部２５が電源配線１３の外周に被覆されている樹脂製のシース２６に食い込んで圧接する。
【００３２】
これにより、取付ホルダ１５は、その配線保持部２１に電源配線１３を強固に保持する。
また、組立時においても、配線が取付けホルダ１５にて位置規制されるために簡潔な組立性の効果を有する。
【００３３】
次に、照明器具１０における取付ホルダ１５による電源配線１３の組み付けについて説明する。
【００３４】
図５に示すように、まず、点灯回路部１４から引き出されている電源配線１３が器具本体１１の取付穴１６の周辺に載置される。
【００３５】
次に、取付穴１６の周辺に載置されている電源配線１３に取付ホルダ１５を被せていく。このとき、取付ホルダ１５の配線引き込み口２４を点灯回路部１４から引き出されている電源配線１３に被せ、同時に取付ホルダ１５の配線引き出し口２３をコネクタ側の電源配線１３に被せる。
【００３６】
そして、図６に示すように、取付ホルダ１５の螺子固定部２０のネジ穴２２にネジ２７をそれぞれ差し込み、ネジ２７を器具本体１１の取付穴１６の周りに形成されている不図示のネジ穴にねじ込む。
【００３７】
図７に示すように、ネジ２７が器具本体１１にねじ込まれることにより、電源配線１３の一方を配線引き込み口２４に圧接支持するとともに電源配線１３の他方を配線引き出し口２３に圧接支持して電源配線１３の中間部を配線保持部２１により保持することができる。
【００３８】
本発明の一実施形態の照明器具１０では、取付ホルダ１５の配線保持部２１により、電源配線１３が器具本体１１と取付ホルダ１５との間に保持される。
これにより、万が一に、電源配線１３が垂直方向に引っ張られたとしても、取付ホルダ１５は浮きを生ずることなく電源配線１３を確実に保持する。
従って、取付ホルダ１５に浮きを生ずることがなくなって外観性を向上させることができる。
【００３９】
本発明の一実施形態の照明器具１０では、取付ホルダ１５の配線保持部２１の近傍位置がネジ２７により器具本体１１に固定される。
これにより、万が一に、電源配線１３が垂直方向に引っ張られた際に配線保持部２１の近傍位置に引張応力が集中するが、配線保持部２１の近傍位置が螺子固定されているために強度が高くなっている。
従って、引張応力に十分に抗することにより浮きを生じないようにできる。
【００４０】
本発明の一実施形態の照明器具１０では、電源配線１３は配線保持部２１の配線引き込み口２４から引き込まれて配線引き出し口２３から引き出される。
従って、電源配線１３にかかる外力を分散することができるとともに絡まり等を生ずることなく簡潔な配策を行うことができる。
【００４１】
本発明の一実施形態の照明器具１０では、電源配線１３は配線保持部２１の配線引き込み口２４の配線圧接部２５により強固に把持されるとともに配線引き出し口２３の配線圧接部２５により強固に把持される。
従って、電源配線１３に軸方向の位置ずれを生ずることなく確実に保持することができる。
【００４２】
なお、前記各実施形態で使用した器具本体１１、ランプ１２、点灯回路部１４等は例示したものに限定するものではなく適宜変更が可能である。
【符号の説明】
【００４３】
１０  照明器具
１１  器具本体
１２  ランプ
１３  電源配線
１４  点灯回路部
１５  取付ホルダ
２１  配線保持部
２４  配線引き込み口
２５  配線引き出し口
２６  シース
２７  ネジ（螺子）
【図１】
2010251266.tif 000003
【図２】
2010251266.tif 000004
【図３】
2010251266.tif 000005
【図４】
2010251266.tif 000006
【図５】
2010251266.tif 000007
【図６】
2010251266.tif 000008
【図７】
2010251266.tif 000009